(57)【要約】【課題】幅の狭い隙間を通すために扁平化させた場合も流体が流れ易いチューブを提供すること。【解決手段】中実のリブ２が、長手方向に沿って内側面に延設されていることを特徴とするチューブ。【選択図】図１
2017078478.tif 000002
【特許請求の範囲】
【請求項１】
中実のリブが、長手方向に沿って内側面に延設されていることを特徴とするチューブ。
【請求項２】
前記リブの断面形状が略円形であることを特徴とする請求項１に記載のチューブ。
【請求項３】
前記リブを複数備えることを特徴とする請求項１又は２に記載のチューブ。  
【請求項４】
２つの前記リブを備え、該２つのリブが、チューブ軸心に対して略９０度の間隔をおいて延設されていることを特徴とする請求項３に記載のチューブ。
【請求項５】
チューブ軸心を挟んで前記リブと相対峙する位置の外側面に、前記リブの位置を示す教示部が長手方向に沿って延設されていることを特徴とする請求項１〜４のいずれか１項に記載のチューブ。
【請求項６】
請求項１〜５のいずれか１項に記載の構成を備えることを特徴とするドレンチューブ。
【発明の詳細な説明】
【技術分野】
【０００１】
本発明は、内部を流体が流れるチューブに関する。
【背景技術】
【０００２】
そのようなチューブとしては、例えば、集合住宅の給湯設備から出る排水を、共用廊下の床面に設けた排水溝に導くドレンチューブを挙げることができる。
【０００３】
一般的な集合住宅における給湯設備は、パイプスペースと呼ばれる空間に収納されている。パイプスペースには通常、給湯設備の設置スペースと共用廊下とを仕切るための仕切扉が設けられている。ドレンチューブは、その一端が給湯設備のチューブ継手に接続され、その他端が、仕切扉下に設けられている排水設備に接続される。
【０００４】
尚、上述のような従来のドレンチューブに関しては、当業者の間で広く知られているため、先行技術文献を示さない。
【発明の概要】
【発明が解決しようとする課題】
【０００５】
仕切扉のサイズや設置高さは物件毎に異なるため、仕切扉の下の隙間寸法も物件毎に異なる。従って、排水設備を設置するためには、物件毎に寸法の合う部品を用意する必要がある。
【０００６】
また、そのような設置に手間のかかる排水設備を設けずに、ドレンチューブを延長して共用廊下の排水溝まで直接引き出す方法も考えられている。
【０００７】
しかしながら、仕切扉の下の隙間はもともと排水するために設けられているものではなく、余裕をもってドレンチューブを通せるほどの幅をもたない場合が多い。そのため仕切扉下の隙間に通すには、ドレンチューブをある程度扁平にして使用せざるを得ない。この場合問題となるのは、少量のドレン水の排水があったとき、ドレン水が扁平化部分を流れ難くなってしまうことである。外気温の低い冬季になると、扁平化部分に残留したドレン水が凍結してドレンチューブを塞いでしまう虞がある。
【０００８】
従って、本発明の目的は、幅の狭い隙間を通すために扁平化させた場合も流体が流れ易いチューブを提供することにある。
【課題を解決するための手段】
【０００９】
本発明のチューブに係る第１特徴構成は、中実のリブが、長手方向に沿って内側面に延設されている点にある。
【００１０】
〔作用及び効果〕
本構成によれば、扁平化させた際に最も狭くなる断面中央部分が、中実のリブによって押し上げられる。このとき、リブとチューブ内側面との間に表面張力によって流体が引き寄せられるようになるため、流体がリブに沿って流れるようになる。従って本構成によれば、たとえ少量の流体でも、チューブ内を流れる位置が限定されて流路が確保されるため、幅の狭い隙間を通すために扁平化しても流体が流れ易い。
【００１１】
第２特徴構成は、前記リブの断面形状が略円形である点にある。
【００１２】
〔作用及び効果〕
本構成によれば、ニッパー等の工具を使用してリブを切除し易くなる。従って、チューブの端部におけるリブを切除することによって、リブなしの従来のチューブと同様に、市販のチューブ継手と接続することができるようになる。
【００１３】
第３特徴構成は、前記リブを複数備える点にある。
【００１４】
〔作用及び効果〕
本構成によれば、複数の方向のいずれからチューブを扁平化しても、リブによってより確実に閉塞を防止することができる。
【００１５】
第４特徴構成は、２つの前記リブを備え、該２つのリブが、チューブ軸心に対して略９０度の間隔をおいて延設されている点にある。
【００１６】
〔作用及び効果〕
本構成によれば、例えば一方のリブが下に位置するようにチューブを設置すれば、他方のリブは、一方のリブから９０度離れた右側又は左側に位置することになるため、上下方向及び横方向のいずれの方向からチューブを扁平化しても、リブによって閉塞が確実に防止される。
【００１７】
第５特徴構成は、チューブ軸心を挟んで前記リブと相対峙する位置の外側面に、前記リブの位置を示す教示部が長手方向に沿って延設されている点にある。
【００１８】
〔作用及び効果〕
本構成によれば、作業者は、内側面におけるリブの位置を教示部によって容易に把握することができる。これにより作業者は、チューブを設置する際、チューブが扁平化される方向にリブを確実に配置させることができるため、チューブの設置作業性が向上すると共に、確認作業も容易となる。さらに、例えば、教示部が上になるようにチューブを設置すれば、チューブ内における流体の流れ込む位置が、チューブ内の下側に限定されるため、流体がリブに沿って確実に流れるようになる。
【００１９】
本発明のドレンチューブに係る特徴構成は、上記第１特徴構成〜第５特徴構成のいずれかの構成を備える点にある。
【００２０】
〔作用及び効果〕
本構成を適用したドレンチューブは、たとえ幅の狭い隙間を通すために扁平化しても流体が流れ易い。従って、本発明のドレンチューブを延長して共用廊下の排水溝までドレン水を直接引き出すことが可能となるため、排水設備を設けなくて済む。さらに扁平化部分にドレン水が残留し難くなるため、外気温の低い冬季においてドレン水が凍結してドレンチューブを塞いでしまう虞もない。
【図面の簡単な説明】
【００２１】
【図１】本発明のチューブの斜視図である。
【図２】本発明のチューブの断面図である。
【図３】図２の矢視線ＩＩＩ−ＩＩＩにおける断面図である。
【図４】本発明のチューブの別実施形態を示す断面図である。
【図５】本発明のチューブをドレンチューブとして使用した場合を模式的に示した断面図である。
【図６】実施例に係るチューブを扁平化したときの断面図である。
【図７】比較例に係るチューブを扁平化したときの断面図である。
【発明を実施するための形態】
【００２２】
以下、本発明の実施形態を図面に基づいて説明する。
図１〜図３に示されるように、本実施形態のチューブ１では、中実のリブ２が長手方向に沿って内側面に延設されている。また、チューブ軸心Ｘを挟んでリブ２と相対峙する位置の外側面には、突条部３（教示部の一例）が長手方向に沿って延設されている。
【００２３】
本構成のチューブ１によれば、扁平化させた際に最も狭くなる断面中央部分が、中実のリブ２によって押し上げられる。このとき、リブ２とチューブ内側面との間に表面張力によって流体が引き寄せられるようになるため、流体がリブ２に沿って流れるようになる。従って本構成によれば、たとえ少量の流体でも、チューブ１内を流れる位置が限定されて流路が確保されるため、幅の狭い隙間を通すために扁平化しても流体が流れ易い。
【００２４】
図２に示されるように、本実施形態におけるリブ２の断面形状は略円形の円弧状であるが、この形状に限定されるものではなく、扁平にしたときにチューブ１の閉塞を防ぐことが可能な形状であれば良い。
【００２５】
尚、リブ２の断面形状を略円形とすることによって、ニッパー等の工具を使用してリブ２を切除し易くなる。チューブ１の端部におけるリブ２を切除することによって、リブなしの従来のチューブ１と同様に、市販のチューブ継手５と接続することができる。
【００２６】
また本構成のチューブ１によれば、作業者は、内側面におけるリブ２の位置を突条部３によって容易に把握することができる。これにより作業者は、チューブ１を設置する際、チューブ１が扁平化される方向にリブ２を確実に配置させることができるため、チューブ１の設置作業性が向上すると共に、確認作業も容易となる。
【００２７】
例えば、チューブ１が上下方向に扁平化される場合には、作業者は、突条部３が上になるようにチューブ１を設置すれば良く、設置後も突条部３を見れば、リブ２がきちんと下に配置されているか否か容易に確認することができる。さらにこのとき、突条部３が上になっているため、チューブ１内における流体の流れ込む位置がチューブ１内の下側に限定され、流体がリブ２に沿って確実に流れるようになる。またこのように下に配置されているリブ２は、流体の流れを確保すると同時に、常に潰れ難い位置で固定されることになる。尚、本実施形態における突条部３の断面の曲率半径は、リブ２の断面の曲率半径よりも小さく設定されている。
【００２８】
本発明におけるリブ２の断面形状を、本実施形態のように略円形とする場合、リブ２の外径は、チューブ１の内径の１／２〜１／８程度であることが望ましい。１／２よりも大きいと流体の流れを阻害し易くなり、１／８よりも小さいとリブ２による閉塞防止効果が期待できなくなる。
【００２９】
本発明のチューブ１の厚みについては、チューブ１の内径の１／１０以上にすることが望ましい。これよりも薄くなると、チューブ１が折れ易くなるためである。尚、ドレンチューブ１として使用する場合、チューブ１の厚みは１ｍｍ〜３ｍｍであることが望ましく、より好ましくは１．５ｍｍ〜２．５ｍｍである。
【００３０】
本発明のチューブ１に適用可能な構成素材としては、可撓性を有する材料であれば特に限定されるものではないが、例えば、ゴム、熱可塑性エラストマー、ポリ塩化ビニル等が挙げられる。また本発明のチューブ１は、公知の押出成形法等によって製造することができる。
【００３１】
本発明のチューブ１の用途は、特に限定されるものではなく、例えば家庭用ホースなどとしても使用可能であるが、その他にも例えば、ドレン水を排水するためのドレンチューブ１としてより好適に使用することができる。
【００３２】
〔その他の実施形態〕
１．上述の実施形態における教示部については、必要に応じて設けるようにしても良い。また、教示部の形態は突条に限定されるものではなく、その他にも例えば、逆に溝で構成しても良く、あるいは単に塗料で線を引くなどしても良い。
【００３３】
２．図４に示すように、上述の実施形態におけるリブ２は、一つに限らず、複数であっても良い。これにより、複数の方向のいずれからチューブ１を扁平化しても、リブ２によってより確実に閉塞を防止することができる。
特に２つのリブ２を備える場合、該２つのリブ２が、チューブ軸心Ｘに対して略９０度の間隔をおいて延設されていることが望ましい。これにより、例えば、一方のリブ２が下に位置するようにチューブ１を設置すれば、他方のリブ２は、一方のリブ２から９０度離れた右側又は左側に位置することになるため、上下方向及び横方向のいずれの方向からチューブ１を扁平化しても、リブ２によって閉塞が確実に防止される。
【実施例】
【００３４】
以下、本発明のチューブを、給湯設備４の排水を担うドレンチューブに適用した実施例を以下に説明する。
実施例として、チューブ厚み１．７５ｍｍ、チューブ内径１２ｍｍ、リブ２の外径２．５ｍｍのポリ塩化ビニル製のドレンチューブ１を使用した。
また比較例として、リブを備えていないこと以外は全て同じ構成のドレンチューブを使用した。
【００３５】
先ず、実施例に係るドレンチューブ１の一端側のリブ２をニッパーで少し切除した。そして、仕切扉８を開けた状態で、図５に示すように、リブ２を切除した側のドレンチューブ１の端部を、給湯設備４のチューブ継手５に接続した。次いで、パイプスペースＰの床面にドレンチューブ１を這わせつつ、その他端部を、共用廊下Ｃの排水溝に連通する排水ガイド９の受け口１０に接続した。このとき、リブ２が下に位置するようにチューブ１を設置した。最後に、仕切扉８を閉めて、仕切扉８の下端とパイプスペースＰの床面との隙間Ｓ１，Ｓ２において、ドレンチューブ１を扁平化させた。
【００３６】
尚、パイプスペースＰの床面には、段部７が形成されており、その段部７と、仕切扉８の下端との間に隙間が形成されている。段部７の角と仕切扉８の角との間の隙間Ｓ１が最も狭く、およそ５ｍｍであった。また段部７と仕切扉８の底面との間の隙間Ｓ２はおよそ１０ｍｍであった。
【００３７】
図示しないが、比較例に係るドレンチューブについても、上述の実施例に係るドレンチューブ１と同様に給湯設備４のチューブ継手５と排水ガイド９の受け口１０に接続して扁平化させた。
【００３８】
図６に示すように、隙間Ｓ１における実施例に係るドレンチューブ１の扁平化部分では、その断面中央部分が、中実のリブ２によって押し上げられていた。そして、給湯設備４から少量のドレン水の排水があったとき、リブ２とチューブ内側面との間に表面張力によってドレン水が引き寄せられ、ドレン水がリブ２に沿って流れており、流路が確保されていた。即ち、本実施例において、給湯設備４から少量のドレン水の排水があったときも、ドレン水は扁平化部分に滞留することなく、リブ２に導水されてスムーズに流れることが確認された。
【００３９】
一方、図７に示すように、隙間Ｓ１における比較例に係るドレンチューブ１の扁平化部分では、断面中央部分が最も狭くなっており、給湯設備４から少量のドレン水の排水があったときにドレン水が滞留した。
【００４０】
以上より、本発明のチューブ１によれば、幅の狭い隙間を通すために扁平化させた際、、流体量が少なく、さらに勾配が小さい場所において使用されるような場合であっても、流体がチューブ１内の上面や横面に沿って種々に変化しながら流れるようなことはなく、チューブ１内における流体の流れる位置が略限定されて流路が確保されるため、流体が流れ易い。
【産業上の利用可能性】
【００４１】
本発明は、内部を流体が流れるチューブを取り扱う産業分野、例えば、ドレンチューブ等に関する分野において好適に利用することができる。
【符号の説明】
【００４２】
１  チューブ
２  リブ
３  突条部（教示部）
４  給湯設備
５  チューブ継手
６  床面
７  段部
８  仕切扉
９  排水ガイド
１０  受け口
Ｘ  チューブ軸心
Ｐ  パイプスペース
Ｃ  共用廊下
Ｓ１，Ｓ２  隙間
【図１】
2017078478.tif 000003
【図２】
2017078478.tif 000004
【図３】
2017078478.tif 000005
【図４】
2017078478.tif 000006
【図５】
2017078478.tif 000007
【図６】
2017078478.tif 000008
【図７】
2017078478.tif 000009